(57)【特許請求の範囲】
【請求項１】
両端部に排水本管との主接続部を有し、側部に排水枝管との枝管接続部である差口を有する桝本体の前記枝管接続部の差口の端部外面に、継手部材の一端部の受口内面がその軸心の周りに回動可能に水密状に嵌着されて連結されてなる排水桝において、
前記継手部材の正逆方向の１８０度回動を規制する回動規制部が、前記枝管接続部の差口の開口端縁外面と、前記継手部材の一端部の受口の奥部内面とに設けられ、前記継手部材を桝本体の枝管接続部に対して正逆方向に約１８０度回動させることによって、継手部材の他端部の向きを桝本体の主軸に対して平行または直交に、あるいは、継手部材の他端部の向きを桝本体の主軸に対して４５度または直交に、できるようにされていることを特徴とする排水桝。
【請求項２】
前記継手部材が４５度エルボ継手であり、前記回動規制部が、前記枝管接続部の差口の開口端縁外面に全周にわたって設けられた段部の円周上の一箇所に設けられたリブと、前記エルボ継手の一端部の受口の奥部内面に、その全周の半分にわたって設けられた突条とから構成され、前記エルボ継手を桝本体の枝管接続部である差口に対して正逆方向に約１８０度回動させることによって、エルボ継手の他端部の向きを桝本体の主軸に対して平行または直交にできるようにされている請求項１記載の排水桝。
【発明の詳細な説明】
【０００１】
【発明の属する技術分野】
本発明は、一つのもので二種類のタイプの排水桝を兼用でき、特に狭い敷地の宅地内において好適に埋設設置することができる排水桝に関する。
【０００２】
【従来の技術】
従来の兼用できる排水桝として、たとえば特開平７−８３３７７号公報において、４５度エルボ継手の一端を桝本体の分岐流入口側の端部外面に回動可能に連結したものが開示されている。
【０００３】
具体的には、図４および図５に示すように、ます本体１ａの主軸ａ上に、上下流用受口３ａ，３ａを設け、この主軸ａに直交して地表側に点検筒用受口６ａを設け、ます本体１ａの側部に分流管用受口を設けた塩ビ製小口径桝において、ます本体１ａの主軸ａに対して上流側に４５度傾斜した副軸ｂ上に、その切口ｅが主軸ａに対して４５度傾斜した分流管用接続口１２ａを設け、この分流管用接続口１２ａに１８０度の範囲で正逆転可能で、かつ、エルボ受口１４ａを分流管用受口とする４５度エルボ１３ａを接続し、このエルボ受口１４ａの向きを、主軸ａに対して平行または直交に構成できるようにしたものである。
【０００４】
【発明が解決しようとする課題】
しかしながら、上記従来の小口径桝においては、４５度エルボ１３ａが８０度の範囲で正逆転を行なえるように、４５度エルボ１３ａのエルボ側舌片１８ａのある開口端縁に１８０度にわたって切欠２２ａを設け、一方、分流管用接続口１２ａの当接部２１ａの側部に、上記切欠２２ａの段部が当接するストッパー用突起２０ａを設けている。このため、図４に示すように、分流管用接続口１２ａの当接部２１ａの開口端側の側面と上記４５度エルボ１３ａの切欠２２ａとの間に、１８０度にわたって隙間Ｓが存在することになる。
【０００５】
この結果、小口径桝を埋設施工する際に、この隙間Ｓ内に土砂などが入り込んで、所定の角度調整を行なえなかったり、あるいは、配管勾配を確保できないという問題があった。
【０００６】
本発明の目的は、土砂などの入り込みによって、４５度エルボの角度設定が阻害されず、容易に埋設施工を行なえる排水桝を提供することである。
【０００７】
【課題を解決するための手段】
請求項１記載の本発明は、両端部に排水本管との主接続部を有し、側部に排水枝管との枝管接続部である差口を有する桝本体の前記枝管接続部の差口の端部外面に、継手部材の一端部の受口内面がその軸心の周りに回動可能に水密状に嵌着されて連結されてなる排水桝において、前記継手部材の正逆方向の１８０度回動を規制する回動規制部が、前記枝管接続部の差口の開口端縁外面と、前記継手部材の一端部の受口の奥部内面とに設けられ、前記継手部材を桝本体の枝管接続部に対して正逆方向に約１８０度回動させることによって、継手部材の他端部の向きを桝本体の主軸に対して平行または直交に、あるいは、継手部材の他端部の向きを桝本体の主軸に対して４５度または直交に、できるようにされているものである。
【０００８】
請求項２記載の本発明は、請求項１記載の排水桝において、前記継手部材が４５度エルボ継手であり、前記回動規制部が、前記枝管接続部の差口の開口端縁外面に全周にわたって設けられた段部の円周上の一箇所に設けられたリブと、前記エルボ継手の一端部の受口の奥部内面に、その全周の半分にわたって設けられた突条とから構成され、前記エルボ継手を桝本体の枝管接続部である差口に対して正逆方向に約１８０度回動させることによって、エルボ継手の他端部の向きを桝本体の主軸に対して平行または直交にできるようにされているものである。
【０００９】
（作用）請求項１または２記載の本発明の排水桝においては、継手部材の正逆方向の回動を規制する回動規制部が、枝管接続部の差口の開口端縁外面と、継手部材の一端部の受口の奥部内面とに設けられている、すなわち、枝管接続部の端部外面と継手部材の一端部内面との連結部の内部に設けられているので、排水桝を埋設施工する際に、回動規制部に土砂などが入り込むことがない。このため、継手部材の回動が阻害されず、角度設定や配管勾配の確保を容易に行なうことができる。
【００１０】
請求項２記載の本発明の排水桝においては、継手部材が４５度エルボ継手であり、しかも、回動規制部が、枝管接続部の差口の開口端縁外面に全周にわたって設けられた段部の円周上の一箇所に設けられたリブと、エルボ継手の一端部の受口の奥部内面に、その全周の半分にわたって設けられた突条とから構成されているので、このエルボ継手を桝本体の枝管接続部である差口に対して正逆方向に約１８０度回動させることによって、エルボ継手の他端部の向きを桝本体の主軸に対して平行または直交にできる。このため、一つの排水桝にて二種類のタイプの排水桝として兼用することができ、好適なものである。
【００１１】
【発明の実施の形態】
以下、本発明の実施の形態の一例を図面に基づいて説明する。図１は本発明の排水桝の一例を示す平面図、図２は図１の要部拡大断面図、図３は図２の要部拡大斜視図である。
【００１２】
図１において、１は硬質塩化ビニル樹脂製の桝本体であり、主管部２の両端部に排水本管６，６が接続される受口２１，２１を有している。桝本体１の片側の側部には、一端部が差口３１とされた枝管部３が一体に突設されている。４は４５度曲がりのエルボ継手であり、その両端部はともに受口４１，４２とされている。エルボ継手４の受口４１が桝本体１の枝管部３の差口３１と嵌着されることで、排水桝とされている。なお、５は立ち上がり管（図示せず）の下端部が接続される点検用受口、ａは主管部２の軸心、ｂは枝管部３の軸心、７は排水枝管である。
【００１３】
枝管部３の差口３１の外周面には、断面コ字状の環状溝３２，３３が設けられている。環状溝３２にはシール用のゴム輪３４が装着されている。差口３１の開口端縁の外面には全周にわたって段部３５が設けられ、この段部３５の円周上の一箇所には、図３に示すように、幅狭の三角リブ３６が設けられている。
【００１４】
一方、エルボ継手４の受口４１の内周面には、周方向の３箇所に鋸歯状の係止片４３が突設されている。この３個の係止片４３は上記枝管部３の差口３１の環状溝３３に係止されるものであり、環状溝３３と対向した位置に存在している。そして、エルボ継手４の受口４１の奥部内面には、その全周の半分、つまり、１８０度の範囲にわたって、断面形状が三角状の突条４４が設けられている。
【００１５】
そして、図２に示すように、桝本体１の枝管部３の差口３１にエルボ継手４の受口４１を強制嵌合して両者を連結した状態において、桝本体１の枝管部３に対して、エルボ継手４を正逆方向に約１８０度回動することで、エルボ継手４の受口４２の向きを桝本体１の主軸ａに対して平行、あるいは、直交にすることができる。
【００１６】
その際、差口３１の開口端縁の段部３５に設けた三角リブ３６の片面に、エルボ継手４の受口４１の奥部内面に１８０度の範囲にわたって設けた断面三角状の突条４４の端面が当接して係止することで、エルボ継手４の正逆方向の回動が規制されることになる。
【００１７】
そして、回動規制部を構成している三角リブ３６と、断面三角状の突条４４とがともに、連結部の最も奥部側に設けられて存在しているので、排水桝を埋設して設置する際に、土砂などが連結部の奥部側まで侵入ことはない。このため、エルボ継手４の受口４２に接続する排水枝管７の配管勾配を容易に設定することができる。
【００１８】
上記実施例では、回動規制部を構成している三角リブを枝管部３の差口３１側に、突条をエルボ継手４の受口４１側に設けたが、これとは逆に、三角リブをエルボ継手４の受口４１側に、突条を枝管部３の差口３１側に設けるようにしてもよい。
【００１９】
また、エルボ継手は４５度曲がりのものに代えて２２．５度曲がりのものとしてもよい。
【００２０】
上記実施例では、継手部材として４５度曲がりのエルボ継手を用いたが、このエルボ継手に代えて通常のソケット継手を用いることもできる。その際、桝本体１の片側の側部に突設した枝管部の開口端面を枝管部の軸芯に対して２２．５度の角度で傾斜する傾斜面とし、一方、対応するソケット継手の開口端面をソケット継手の軸芯に対して２２．５度の角度で傾斜する傾斜面とすればよい。
【００２１】
このようにすることで、ソケット継手を桝本体の枝管部に対して正逆方向に約１８０度回動させることによって、ソケット継手の流入口側の向きを桝本体の主軸に対して４５度または直交にできる。この結果、一つの排水桝にて４５度合流または９０度合流タイプの排水桝として兼用することができる。
【００２２】
【発明の効果】
請求項１または２記載の本発明においては、継手部材の正逆方向の回動を規制する回動規制部が、枝管接続部の差口の開口端縁外面と、継手部材の一端部の受口の奥部内面とに設けられているので、すなわち、回動規制部が、枝管接続部と継手部材との連結部の内部に存在しているので、埋設施工の際に、回動規制部に土砂などが入り込まないので、継手部材の回動が阻害されることなく、角度や配管勾配の設定を迅速かつ容易に行なうことができる。
【００２３】
また、請求項２記載の本発明においては、４５度エルボ継手を桝本体の枝管接続部の差口に対して正逆方向に約１８０度回動させることによって、枝管接続部の差口の開口端縁の段部に設けられリブの片面に、エルボ継手の受口の奥部内面に１８０度にわたって設けた突条の端面が当接して係止することになり、エルボ継手の他端部の向きを桝本体の主軸に対して平行または直交にでき、一つの排水桝にて二種類のタイプの排水桝として兼用することができ、好適なものである。
【図面の簡単な説明】
【図１】本発明の排水桝の一例を示す平面図である。
【図２】図１の要部拡大断面図である。
【図３】図２の要部拡大斜視図である。
【図４】従来の塩ビ製小口径桝を示す平面図である。
【図５】図４の要部を示す分解拡大断面図である。
【符号の説明】
１  桝本体
２  主管部
２１  受口
３  枝管部
３１  差口
３２、３３  環状溝
３４  シール用のゴム輪
３５  段部
３６  三角リブ
４  エルボ継手
４１、４２  受口
４３  係止片
４４  突条
５  点検用受口
６  排水本管
７  排水枝管
ａ  主管部の軸心
ｂ  枝管部の軸心
【図１】
0004117965.tif 000002
【図２】
0004117965.tif 000003
【図３】
0004117965.tif 000004
【図４】
0004117965.tif 000005
【図５】
0004117965.tif 000006